(57)【要約】【課題】再生された乾式の脱硫装置の吸着容量を特定する。【解決手段】使用量取得部は、再生した脱硫装置の過去の使用量を取得する。容量特定部は、取得した使用量の累積に基づいて、再生した脱硫装置の吸着容量を特定する。【選択図】図３
2020060138.tif 000002
【特許請求の範囲】
【請求項１】
再生した脱硫装置の過去の使用量を取得する使用量取得部と、
取得した前記使用量の累積に基づいて、再生した前記脱硫装置の吸着容量を特定する容量特定部と、
を備える吸着容量特定装置。
【請求項２】
前記容量特定部が特定した前記吸着容量を、再生した前記脱硫装置に関連付けて容量記憶部に記録する容量記録部を備える
請求項１に記載の吸着容量特定装置。
【請求項３】
船舶の運航計画に基づいて、前記船舶の運航に要する脱硫装置の吸着容量である必要容量を特定する必要容量特定部と、
前記必要容量と前記容量記憶部が記憶する複数の脱硫装置の吸着容量とに基づいて、前記複数の脱硫装置のうち、前記船舶に搭載すべき脱硫装置を特定する搭載装置特定部と
を備える請求項２に記載の吸着容量特定装置。
【請求項４】
前記過去の使用量は、硫黄酸化物の吸着量である
請求項１から請求項３のいずれか１項に記載の吸着容量特定装置。
【請求項５】
前記過去の使用量は、前記脱硫装置の使用回数である
請求項１から請求項３のいずれか１項に記載の吸着容量特定装置。
【請求項６】
再生した脱硫装置の過去の使用量を取得するステップと、
取得した前記使用量の累積に基づいて、再生した前記脱硫装置の吸着容量を特定するステップと、
を備える吸着容量特定方法。
【請求項７】
コンピュータに、
再生した脱硫装置の過去の使用量を取得するステップと、
取得した前記使用量の累積に基づいて、再生した前記脱硫装置の吸着容量を特定するステップと、
を実行させるためのプログラム。
【発明の詳細な説明】
【技術分野】
【０００１】
本発明は、排ガス中の硫黄分を吸着する脱硫装置の吸着容量特定装置、吸着容量特定方法、およびプログラムに関する。
【背景技術】
【０００２】
船舶の燃料である重油には硫黄分が含まれるため、排ガスには硫黄酸化物が含まれる。大気汚染の防止の観点から、硫黄酸化物の排出量を低減することが求められている。特許文献１には、船舶の排ガスに海水を噴霧して硫黄酸化物と反応させる湿式の脱硫装置が開示されている。
【先行技術文献】
【特許文献】
【０００３】
【特許文献１】特開２００７−２６３０７８号公報
【発明の概要】
【発明が解決しようとする課題】
【０００４】
船舶に搭載される脱硫装置は、湿式のものであることが多い。しかしながら、湿式の脱硫装置を船舶に搭載する場合、要素機械を船舶の改造により追設する必要があり、コストがかかる。また小型の船舶においては、物理的に湿式の脱硫装置を搭載することができない場合がある。
【０００５】
他方、活性炭などの吸着剤に硫黄分を吸着させる乾式の脱硫装置が知られている。乾式の脱硫装置は、吸着量が飽和吸着量に達すると脱硫性能が低下するが、洗浄または加熱により硫黄分を脱離させることで、乾式の脱硫装置を再生することができる。一方で、新品の脱硫装置と再生された脱硫装置とでは、吸着容量が異なる。そのため、再生された脱硫装置を効率よく使用するためには、脱硫装置の吸着容量を適切に認識することが求められている。
本発明の目的は、再生された脱硫装置の吸着容量を特定することができる吸着容量特定装置、吸着容量特定方法、およびプログラムを提供することにある。
【課題を解決するための手段】
【０００６】
本発明の第１の態様によれば、吸着容量特定装置は、再生した脱硫装置の過去の使用量を取得する使用量取得部と、取得した前記使用量の累積に基づいて、再生した前記脱硫装置の吸着容量を特定する容量特定部と、を備える。
【０００７】
本発明の第２の態様によれば、第１の態様に係る吸着容量特定装置が、前記容量特定部が特定した前記吸着容量を、再生した前記脱硫装置に関連付けて容量記憶部に記録する容量記録部を備えるものであってよい。
【０００８】
本発明の第３の態様によれば、第２の態様に係る吸着容量特定装置が、船舶の運航計画に基づいて、前記船舶の運航に要する脱硫装置の吸着容量である必要容量を特定する必要容量特定部と、前記必要容量と前記容量記憶部が記憶する複数の脱硫装置の吸着容量とに基づいて、前記複数の脱硫装置のうち、前記船舶に搭載すべき脱硫装置を特定する搭載装置特定部とを備えるものであってよい。
【０００９】
本発明の第４の態様によれば、第１から第３の何れかの態様に係る吸着容量特定装置において、前記過去の使用量は、硫黄酸化物の吸着量であるものであってよい。
【００１０】
本発明の第５の態様によれば、第１から第３の何れかの態様に係る吸着容量特定装置において、前記過去の使用量は、前記脱硫装置の使用回数であるものであってよい。
【００１１】
本発明の第６の態様によれば、吸着容量特定方法は、再生した脱硫装置の過去の使用量を取得するステップと、取得した前記使用量の累積に基づいて、再生した前記脱硫装置の吸着容量を特定するステップと、を備える。
【００１２】
本発明の第７の態様によれば、プログラムは、コンピュータに、再生した脱硫装置の過去の使用量を取得するステップと、取得した前記使用量の累積に基づいて、再生した前記脱硫装置の吸着容量を特定するステップと、を実行させる。
【発明の効果】
【００１３】
上記態様のうち少なくとも１つの態様によれば、吸着容量特定装置は、再生された脱硫装置の吸着容量を特定することができる。
【図面の簡単な説明】
【００１４】
【図１】第１の実施形態に係る船舶脱硫システムの構成を示す概略図である。
【図２】第１の実施形態に係る船舶の構造を示す概略図である。
【図３】第１の実施形態に係る吸着容量特定装置の構成を示す概略ブロック図である。
【図４】硫黄酸化物の累積吸着量と脱硫装置の吸着容量との関係を示す図である。
【図５】硫黄酸化物の吸着量と脱硫装置の再生との関係を示す図である。
【図６】第１の実施形態に係る吸着容量特定方法を示すフローチャートである。
【図７】第１の実施形態に係る搭載装置特定方法を示すフローチャートである。
【発明を実施するための形態】
【００１５】
〈第１の実施形態〉
《船舶脱硫システムの構成》
以下、図面を参照しながら実施形態について詳しく説明する。
図１は、第１の実施形態に係る船舶脱硫システムの構成を示す概略図である。
船舶１００は、所定の航路Ｒに基づいて航行する。航路Ｒ上には、後述する硫黄酸化物を除去するための脱硫装置１４０の交換を行うことができる複数の交換施設Ｆ１が設けられる。交換施設Ｆ１は、港湾、海洋構造物（海洋プラットフォーム）、または補助船に設けられる。脱硫装置１４０の交換は、脱硫装置１４０のメンテナンスの一例である。また交換施設Ｆ１の近傍には、脱硫装置１４０を再生する再生施設Ｆ２が設けられる。
【００１６】
図２は、第１の実施形態に係る船舶の構造を示す概略図である。
船舶１００は、船体１１０、主機関１２０、排ガス管１３０、および脱硫装置１４０を備える。
【００１７】
主機関１２０は、船体１１０の内部の機関室に設けられる。主機関１２０は、例えば、ディーゼルエンジンである。主機関１２０の主軸は、船尾のプロペラ１１１を回転させる。主機関１２０の燃料は、重油（例えばＣ重油）である。重油には硫黄分が含まれるため、主機関１２０の排ガスには硫黄酸化物が含まれる。主機関１２０には、出力の大きさを計測するパワーメータ１２１が設けられる。
排ガス管１３０は、主機関１２０が生成する排ガスを船体１１０の外部へ排出する管状部材である。
【００１８】
脱硫装置１４０は、排ガス管１３０を通る排ガスに含まれる硫黄酸化物を除去する乾式の脱硫装置である。脱硫装置１４０は、排ガス管１３０に着脱可能に取り付けられるカートリッジである。例えば、脱硫装置１４０は、排ガス管１３０の出口を覆いかぶせるように設けられる。脱硫装置１４０は、多孔質の吸着剤１４１を備える。吸着剤１４１は、例えば活性炭である。吸着剤１４１は、排ガスが吸着剤１４１を通過する際に、表面の細孔に硫黄酸化物を取り込むことで排ガスから硫黄酸化物を除去する。なお、本実施形態において硫黄酸化物とは、一酸化硫黄、二酸化硫黄、および三酸化硫黄などのいわゆるＳＯｘのみならず、亜硫酸および硫酸をも含む。なお、他の実施形態においては、脱硫装置１４０は、排ガス管１３０の近傍に設置されてもよい。この場合、排ガス管１３０から排気ガスをバイパスして脱硫装置１４０に導入する。
【００１９】
脱硫装置１４０の交換は、交換施設Ｆ１において、クレーンによって排ガス管１３０から脱硫装置１４０を取り外し、新たな脱硫装置１４０をクレーンによって排ガス管１３０に取り付けることにより行われる。交換に至った脱硫装置１４０は、再生施設Ｆ２において洗浄または加熱による再生処理がなされる。これにより細孔から硫黄酸化物が脱離され、脱硫装置１４０の脱硫機能が再生される。
【００２０】
交換施設Ｆ１には、新品の脱硫装置１４０および再生施設Ｆ２にて再生された脱硫装置１４０が、その脱硫装置１４０のＩＤに関連付けられて複数保管される。交換施設Ｆ１では、船舶１００の航路Ｒに基づいて、保管している複数の脱硫装置１４０の中から１つまたは複数の脱硫装置１４０が選択され、当該船舶１００に搭載される。すなわち、船舶１００が次の交換施設Ｆ１に到達するまでにすべての脱硫装置１４０が飽和状態に至らず、かつ脱硫装置１４０を過剰に船舶１００に搭載しないように、適切な脱硫装置１４０が選択される。
【００２１】
交換施設Ｆ１には、吸着容量特定装置２００が設けられる。吸着容量特定装置２００は、再生された脱硫装置１４０の吸着容量を特定する。また吸着容量特定装置２００は、船舶１００の運航計画に基づいて、当該船舶１００に搭載すべき１または複数の脱硫装置１４０を決定する。
【００２２】
《吸着容量特定装置の構成》
図３は、第１の実施形態に係る吸着容量特定装置の構成を示す概略ブロック図である。
吸着容量特定装置２００は、再生された脱硫装置１４０の吸着容量を特定し、船舶１００に搭載すべき脱硫装置１４０を決定する。吸着容量特定装置２００は、プロセッサ２１０、メインメモリ２３０、ストレージ２５０、インタフェース２７０、出力装置２９０を備えるコンピュータである。
ストレージ２５０には、吸着容量の計算を実行するためのプログラムおよび脱硫装置データベース２５１が記憶される。ストレージ２５０の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。ストレージ２５０は、バスに直接接続された内部メディアであってもよいし、インタフェース２７０または通信回線を介して接続される外部メディアであってもよい。少なくとも１つの実施形態において、ストレージ２５０は、一時的でない有形の記憶媒体である。
脱硫装置データベース２５１は、脱硫装置１４０のＩＤに関連付けて、当該脱硫装置１４０の累積吸着量と吸着容量とを記憶する。累積吸着量とは、脱硫装置１４０の再生直前の硫黄酸化物の吸着量を、再生ごとに加算した値である。累積吸着量は、脱硫装置１４０の再生によって減少しない。脱硫装置データベース２５１は、容量記憶部の一例である。
【００２３】
プロセッサ２１０は、プログラムをストレージ２５０から読み出してメインメモリ２３０に展開することで、運航履歴取得部２１１、使用量算出部２１２、累積使用量特定部２１３、容量特定部２１４、容量記録部２１５、運航計画取得部２１６、必要容量特定部２１７、搭載装置特定部２１８、出力部２１９として機能する。なお、プログラムは、通信回線によって配信され、配信を受けた吸着容量特定装置２００が当該プログラムをメインメモリ２３０に展開してもよい。
【００２４】
運航履歴取得部２１１は、再生すべき脱硫装置１４０を搭載していた船舶１００の運航履歴を取得する。運航履歴には、前の交換施設Ｆ１から当該交換施設Ｆ１に至るまでに消費した燃料量および使用した燃料の種類が含まれる。
【００２５】
使用量算出部２１２は、運航履歴取得部２１１が取得した運航履歴に含まれる燃料量および燃料の種類に基づいて、船舶１００が脱硫装置１４０を交換したときから交換施設Ｆ１に到着するまで航行する間に脱硫装置１４０が吸着した硫黄酸化物の量（吸着量）を算出する。例えば、使用量算出部２１２は、燃料の種類に基づいて、単位燃料量あたりの硫黄含有量を求め、燃料量と単位燃料量あたりの硫黄含有量とに基づいて硫黄酸化物の吸着量を算出することができる。また例えば、使用量算出部２１２は、燃料の種類に応じたテーブルに従って、燃料量から硫黄酸化物の吸着量を算出することができる。使用量算出部２１２は、使用量取得部の一例である。
【００２６】
累積使用量特定部２１３は、脱硫装置１４０のＩＤに関連付けて脱硫装置データベース２５１に記憶されている累積吸着量に、使用量算出部２１２が算出した吸着量を加算することで、累積吸着量を更新する。
【００２７】
容量特定部２１４は、累積使用量特定部２１３が特定した累積吸着量に基づいて、再生後の脱硫装置１４０の吸着容量を特定する。例えば、容量特定部２１４は、図４に示すような関数に累積吸着量を代入することで、再生後の脱硫装置１４０の吸着容量を特定することができる。図４は、硫黄酸化物の累積吸着量と脱硫装置の吸着容量との関係を示す図である。図４に示すように、再生後の脱硫装置１４０の吸着容量は、累積吸着量が増加するほど低下する。
【００２８】
容量記録部２１５は、脱硫装置データベース２５１に、脱硫装置１４０のＩＤに関連付けて、累積使用量特定部２１３が特定した累積吸着量と、容量特定部２１４が特定した吸着容量とを記録する。脱硫装置データベース２５１に、すでに脱硫装置１４０のＩＤに関連付けて累積吸着量と吸着容量とが記憶されている場合、容量記録部２１５は、累積使用量特定部２１３が特定した累積吸着量と、容量特定部２１４が特定した吸着容量とによって、脱硫装置データベース２５１を更新する。
【００２９】
運航計画取得部２１６は、新品のまたは再生された脱硫装置１４０を搭載すべき船舶１００の運航計画を取得する。運航計画には、運航ルート、経由予定の交換施設Ｆ１、および使用する燃料の種類が含まれる。
【００３０】
必要容量特定部２１７は、運航計画取得部２１６が取得した運航計画に基づいて、船舶１００が次の交換施設Ｆ１まで航行する間に発生する硫黄酸化物の量を算出する。これにより、必要容量特定部２１７は、船舶１００に搭載する脱硫装置１４０の必要容量を特定する。例えば、必要容量特定部２１７は、運航計画に含まれる運航ルートに基づいて使用される燃料量を算出し、燃料量および燃料の種類に基づいて、使用量算出部２１２と同様の手法で、次の交換施設Ｆ１まで航行する間に発生する硫黄酸化物の量を算出する。
【００３１】
搭載装置特定部２１８は、脱硫装置データベース２５１に記憶された各脱硫装置１４０の吸着容量に基づいて、船舶１００に搭載すべき脱硫装置１４０を特定する。例えば、搭載装置特定部２１８は、吸着容量の和が必要容量以上であり、かつ必要容量に最も近い脱硫装置１４０の組み合わせを特定する。
出力部２１９は、搭載装置特定部２１８が特定した脱硫装置１４０のＩＤを、出力装置２９０に出力する。
【００３２】
《累積吸着量による容量特定》
ここで、図４に示す関数に基づいて脱硫装置１４０の吸着容量を特定することができる理由を説明する。
脱硫装置１４０の再生後の吸着容量の低下は、主に、吸着剤１４１の表面の残留物が再生によって離脱せずに蓄積することで細孔が塞がれてしまうことによる。残留物の例としては、硫酸などの表面酸化物、表面酸化物に吸着した水滴、灰分、油分などが挙げられる。
再生処理によって残留物が離脱せずに、細孔に残留してしまうと、塞がれた細孔の量だけ吸着可能な硫黄酸化物の量が低下する。
残留物は、再生処理によって除去することが難しいため、再生の有無にかかわらず使用に伴って増加する。これにより、図５に示すように、脱硫装置１４０の吸着容量は、再生のたびに減少することがわかる。図５は、硫黄酸化物の吸着量と脱硫装置の再生との関係を示す図である。例えば、図５に示す例においては、再生１回目の吸着容量Ｃ１は、新品時の吸着容量Ｃ０より小さく、再生３回目の吸着容量Ｃ３は、再生１回目の吸着容量Ｃ１より小さい。なお、図５における使用開始時の吸着量のオフセットおよび最大吸着量の減少は、残留物が再生によって離脱せずに蓄積することで細孔が塞がれてしまうことによって生じる。
したがって、図４に示すように、再生後の脱硫装置１４０の吸着容量は、累積吸着量の関数として表すことができる。
【００３３】
《吸着容量特定装置の動作》
吸着容量特定装置２００による吸着容量特定方法について説明する。
船舶１００が交換施設Ｆ１に到着すると、当該船舶１００に搭載されていた脱硫装置１４０が取り外される。取り外された脱硫装置１４０は、再生施設Ｆ２にて再生される。吸着容量特定装置２００は、図５に示す手順で取り外された脱硫装置１４０の再生後の吸着容量を特定し、これを脱硫装置データベース２５１に記録する。
【００３４】
図６は、第１の実施形態に係る吸着容量特定方法を示すフローチャートである。
交換施設Ｆ１の作業者は、船舶１００の制御装置から取得した運航履歴と、取り外された脱硫装置１４０のＩＤとを、吸着容量特定装置２００に入力する。吸着容量特定装置２００の運航履歴取得部２１１は、船舶１００の運航履歴および脱硫装置１４０のＩＤを取得する（ステップＳ１）。使用量算出部２１２は、運航履歴取得部２１１が取得した運航履歴に基づいて脱硫装置１４０における硫黄酸化物の吸着量を算出する（ステップＳ２）。
【００３５】
累積使用量特定部２１３は、ステップＳ１で取得した脱硫装置１４０のＩＤに関連付けて脱硫装置データベース２５１に記憶されている累積吸着量を読み出す（ステップＳ３）。累積使用量特定部２１３は、読み出した累積吸着量に、ステップＳ２で算出した吸着量を加算することで、累積吸着量を更新する（ステップＳ４）。
【００３６】
容量特定部２１４は、図４に示す関数と、ステップＳ４で特定した累積吸着量とに基づいて、再生後の脱硫装置１４０の吸着容量を特定する（ステップＳ５）。容量記録部２１５は、脱硫装置データベース２５１に、ステップＳ１で取得した脱硫装置１４０のＩＤに関連付けて、ステップＳ４で更新した累積吸着量と、ステップＳ５で特定した吸着容量とを記録する（ステップＳ６）。
【００３７】
これにより、脱硫装置データベース２５１には、取り外された脱硫装置１４０が再生施設Ｆ２にて再生された後の吸着容量が記録される。つまり、吸着容量特定装置２００または作業者は、脱硫装置データベース２５１を参照することで、各脱硫装置１４０の最新の吸着容量を特定することができる。
【００３８】
図７は、第１の実施形態に係る搭載装置特定方法を示すフローチャートである。
交換施設Ｆ１の作業者は、脱硫装置１４０を取り外した船舶１００から運航計画を取得し、吸着容量特定装置２００に入力する。吸着容量特定装置２００の運航計画取得部２１６は、船舶１００の運航計画を取得する（ステップＳ２１）。必要容量特定部２１７は、ステップＳ２１で取得した運航計画に基づいて、次の交換施設Ｆ１までの航行に必要な脱硫装置１４０の吸着容量（必要容量）を特定する（ステップＳ２２）。
【００３９】
搭載装置特定部２１８は、脱硫装置データベース２５１に記憶された各脱硫装置１４０の吸着容量に基づいて、脱硫装置１４０の複数の組み合わせについて、吸着容量の和を算出する（ステップＳ２３）。搭載装置特定部２１８は、算出した吸着容量の和、および各脱硫装置１４０の吸着容量のうち、必要容量以上であり、かつ必要容量に最も近い脱硫装置１４０または脱硫装置１４０の組み合わせを特定する（ステップＳ２４）。出力部２１９は、ステップＳ２４で特定した脱硫装置１４０のＩＤまたは特定した組み合わせに係る脱硫装置１４０のＩＤを、出力装置２９０に出力する（ステップＳ２５）。
【００４０】
これにより、交換施設Ｆ１の作業者は、出力されたＩＤに関連付けられた脱硫装置１４０を認識することで、当該船舶１００の運航に必要な吸着容量を有する１または複数の脱硫装置１４０を船舶１００に搭載することができる。
【００４１】
《効果》
このように、第１の実施形態に係る吸着容量特定装置２００は、再生した脱硫装置１４０の過去の硫黄酸化物の吸着量の累積に基づいて、再生した脱硫装置１４０の吸着容量を特定する。これにより、利用者は、脱硫装置１４０の吸着容量を適切に認識し、再生された脱硫装置１４０を効率よく使用することができる。
【００４２】
また、第１の実施形態に係る吸着容量特定装置２００は、容量特定部２１４が特定した吸着容量を、再生した脱硫装置１４０に関連付けて脱硫装置データベース２５１に記録する。これにより、利用者は、脱硫装置データベース２５１の参照によって複数の脱硫装置１４０それぞれの最新の吸着容量を認識することができる。
【００４３】
また、第１の実施形態に係る吸着容量特定装置２００は、船舶１００の運航計画に基づいて船舶１００の必要容量を特定し、複数の脱硫装置１４０のうち、船舶１００に搭載すべき脱硫装置１４０を特定する。これにより、利用者は、船舶１００の必要容量を満たす脱硫装置１４０または脱硫装置１４０の組み合わせを容易に特定することができる。
【００４４】
《他の実施形態》
以上、図面を参照して一実施形態について詳しく説明してきたが、具体的な構成は上述のものに限られることはなく、様々な設計変更等をすることが可能である。
【００４５】
第１の実施形態に係る吸着容量特定装置２００は、脱硫装置１４０の使用量である硫黄酸化物の吸着量を、燃料の種類と消費燃料量とに基づいて算出するが、これに限られない。例えば、他の実施形態に係る吸着容量特定装置２００は、排ガス管１３０における排ガス流量と、運航時間と、脱硫装置１４０の入口の硫黄酸化物濃度とに基づいて、硫黄酸化物の吸着量を求めてもよい。
【００４６】
第１の実施形態に係る吸着容量特定装置２００は、脱硫装置１４０の使用量として硫黄酸化物の吸着量を用いるが、これに限られない。例えば、他の実施形態に係る吸着容量特定装置２００は、脱硫装置１４０の使用量として脱硫装置１４０の使用回数または再生回数に基づいて吸着容量を特定してもよい。図５に示す通り、脱硫装置１４０の吸着容量は、使用回数に対して単調減少の関係にあるため、使用回数の関数として表すことができる。なお、使用回数は必ずしも自然数でなくてもよい。例えば、脱硫装置１４０が飽和する前に使用を終えた場合、０．５回などの１未満の回数をカウントしてもよい。なお、脱硫装置１４０の再生回数は、使用回数から１を減算したものであるため、脱硫装置１４０の使用回数と等価である。
【００４７】
第１の実施形態に係る脱硫装置１４０は、船舶１００に搭載されるが、これに限られない。例えば、他の実施形態に係る脱硫装置１４０は、発電所やごみ焼却炉などの他の施設に用いられるものであってもよい。他の施設に用いられる場合、吸着容量特定装置２００は、運航履歴および運航計画に代えて、運転履歴および運転計画に基づいて、累積使用量および必要容量を求める。
【符号の説明】
【００４８】
１００  船舶
１１０  船体
１１１  プロペラ
１２０  主機関
１２１  パワーメータ
１３０  排ガス管
１４０  脱硫装置
１４１  吸着剤
２００  吸着容量特定装置
２１０  プロセッサ
２３０  メインメモリ
２５０  ストレージ
２７０  インタフェース
２９０  出力装置
２１１  運航履歴取得部
２１２  使用量算出部
２１３  累積使用量特定部
２１４  容量特定部
２１５  容量記録部
２１６  運航計画取得部
２１７  必要容量特定部
２１８  搭載装置特定部
２１９  出力部
２５１  脱硫装置データベース
Ｒ  航路
Ｆ１  交換施設
Ｆ２  再生施設
【図１】
2020060138.tif 000003
【図２】
2020060138.tif 000004
【図３】
2020060138.tif 000005
【図４】
2020060138.tif 000006
【図５】
2020060138.tif 000007
【図６】
2020060138.tif 000008
【図７】
2020060138.tif 000009